(57)【要約】【課題】台紙における凡例の情報にしたがって、付箋を作成するユーザーインターフェイスを生成するようにした情報処理装置を提供する。【解決手段】情報処理装置の取得手段は、付箋を貼り付ける先の台紙における凡例の情報を取得し、生成手段は、前記凡例の情報にしたがって、付箋を作成するためのユーザーインターフェイスを生成する。【選択図】図１
2018005549.tif 000002
【特許請求の範囲】
【請求項１】
付箋を貼り付ける先の台紙における凡例の情報を取得する取得手段と、
前記凡例の情報にしたがって、付箋を作成するためのユーザーインターフェイスを生成する生成手段
を有する情報処理装置。
【請求項２】
前記取得手段は、前記凡例の情報を、前記台紙上に貼り付けられた付箋から取得する、
請求項１に記載の情報処理装置。
【請求項３】
前記取得手段は、前記凡例の情報を、前記台紙上の予め定められた領域内に貼り付けられた付箋から取得する、
請求項２に記載の情報処理装置。
【請求項４】
前記取得手段は、前記凡例の情報として、前記台紙上に貼り付けられた付箋から、該付箋の形態を示す属性、該付箋内に記載されたテキストを抽出する、
請求項２または３に記載の情報処理装置。
【請求項５】
前記生成手段は、前記凡例の情報にしたがって、付箋の属性指定のための図形を生成する、
請求項１に記載の情報処理装置。
【請求項６】
前記生成手段は、前記凡例の配置状態にしたがって、前記図形を配置する、
請求項５に記載の情報処理装置。
【請求項７】
コンピュータを、
付箋を貼り付ける先の台紙における凡例の情報を取得する取得手段と、
前記凡例の情報にしたがって、付箋を作成するためのユーザーインターフェイスを生成する生成手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ウェブページのコンテンツのレイアウトや構造の変化に追随して電子付箋の表示位置を変えることを課題とし、電子付箋生成表示プログラムは、コンピュータに、電子付箋の貼り付けが指定されたウェブページのコンテンツの場所を示す位置情報を基にウェブページの中から電子付箋の貼り付け場所に最も類似する場所を推定するステップと、推定された場所に電子付箋が表示されるようにウェブページのソースを書き換えるステップと、を実行させ、ここで、位置情報は、電子付箋の貼り付けが指定されたコンテンツの場所のタグ、属性、及びタグ内の内容を含み、電子付箋の貼り付け場所に最も類似する場所は、タグ、属性、及びタグ内の内容の一致数が最大となる場所であることが開示されている。
【０００３】
特許文献２には、付箋を台紙に貼り付ける処理を行うための第１の装置と第２の装置とを関連付け、第１の装置内の台紙と付箋に関する情報を第２の装置に送信するようにした情報処理装置を提供することを課題とし、情報処理装置の受付手段は、台紙及び該台紙に貼り付けられている付箋を表示する複数の第１の装置のうちの１つの第１の装置と付箋を作成する第２の装置とを関連付ける指示を受け付け、関連付手段は、前記受付手段によって受け付けられた指示にしたがって、前記第１の装置と前記第２の装置を関連付け、制御手段は、前記関連付手段によって関連付けられた前記第１の装置内の台紙と該台紙に貼り付けられている付箋に関する情報を前記第２の装置に送信するように制御することが開示されている。
【０００４】
特許文献３には、テレライティング装置に関し、テレライティング端末を会議等に使用する場合、テレライティングを行っている画面に付箋のウィンドウでメモ書きを行ったり、通信したりする等の要求に応えることができ、より円滑に効率良くテレライティングを行うことができるテレライティング装置を提供することを目的とし、回線を用いて音声通信を行うと同時に、描画情報の伝送を行うシステムを有するテレライティング装置において、テレライティング画面にライティングデータあるいはキャラクターデータを有する付箋ウィンドウを透過モードあるいは上書きモードで張り付けてデータ通信を行うデータ通信手段を有するように構成することが開示されている。
【先行技術文献】
【特許文献】
【０００５】
【特許文献１】特許第５７０４５０８号公報
【特許文献２】特開２０１５−０８７７８０号公報
【特許文献３】特開平０６−１４１１２０号公報
【発明の概要】
【発明が解決しようとする課題】
【０００６】
前述の特許文献に記載の技術では、付箋（電子付箋、電子カード等ともいわれる）に記入した後に、その付箋を台紙に貼り付けることが行われている。
ところで、複数人が利用する付箋にあっては、その付箋の用い方を統一することが望まれている。前述の特許文献に記載の技術では、付箋の用い方を統一することは行われていない。
そこで、本発明は、台紙における凡例の情報にしたがって、付箋を作成するユーザーインターフェイスを生成するようにした情報処理装置及び情報処理プログラムを提供することを目的としている。
【課題を解決するための手段】
【０００７】
かかる目的を達成するための本発明の要旨とするところは、次の各項の発明に存する。
請求項１の発明は、付箋を貼り付ける先の台紙における凡例の情報を取得する取得手段と、前記凡例の情報にしたがって、付箋を作成するためのユーザーインターフェイスを生成する生成手段を有する情報処理装置である。
【０００８】
請求項２の発明は、前記取得手段は、前記凡例の情報を、前記台紙上に貼り付けられた付箋から取得する、請求項１に記載の情報処理装置である。
【０００９】
請求項３の発明は、前記取得手段は、前記凡例の情報を、前記台紙上の予め定められた領域内に貼り付けられた付箋から取得する、請求項２に記載の情報処理装置である。
【００１０】
請求項４の発明は、前記取得手段は、前記凡例の情報として、前記台紙上に貼り付けられた付箋から、該付箋の形態を示す属性、該付箋内に記載されたテキストを抽出する、請求項２または３に記載の情報処理装置である。
【００１１】
請求項５の発明は、前記生成手段は、前記凡例の情報にしたがって、付箋の属性指定のための図形を生成する、請求項１に記載の情報処理装置である。
【００１２】
請求項６の発明は、前記生成手段は、前記凡例の配置状態にしたがって、前記図形を配置する、請求項５に記載の情報処理装置である。
【００１３】
請求項７の発明は、コンピュータを、付箋を貼り付ける先の台紙における凡例の情報を取得する取得手段と、前記凡例の情報にしたがって、付箋を作成するためのユーザーインターフェイスを生成する生成手段として機能させるための情報処理プログラムである。
【発明の効果】
【００１４】
請求項１の情報処理装置によれば、台紙における凡例の情報にしたがって、付箋を作成するユーザーインターフェイスを生成する。
【００１５】
請求項２の情報処理装置によれば、台紙上に貼り付けられた付箋から、凡例の情報を取得する。
【００１６】
請求項３の情報処理装置によれば、台紙上の予め定められた領域に貼り付けられた付箋から、凡例の情報を取得する。
【００１７】
請求項４の情報処理装置によれば、凡例の情報として、台紙上に貼り付けられた付箋から、その付箋の形態を示す属性、その付箋内に記載されたテキストを抽出する。
【００１８】
請求項５の情報処理装置によれば、凡例の情報にしたがって、付箋の属性指定のための図形を生成する。
【００１９】
請求項６の情報処理装置によれば、凡例の配置状態にしたがって、図形を配置する。
【００２０】
請求項７の情報処理プログラムによれば、台紙における凡例の情報にしたがって、付箋を作成するユーザーインターフェイスを生成する。
【図面の簡単な説明】
【００２１】
【図１】本実施の形態の構成例についての概念的なモジュール構成図である。
【図２】本実施の形態を利用したシステム構成例を示す説明図である。
【図３】会議室等における本実施の形態の使用例を示す説明図である。
【図４】本実施の形態による処理例を示すフローチャートである。
【図５】付箋情報テーブルのデータ構造例を示す説明図である。
【図６】台紙情報テーブルのデータ構造例を示す説明図である。
【図７】台紙情報テーブルのデータ構造例を示す説明図である。
【図８】台紙情報テーブルのデータ構造例を示す説明図である。
【図９】付箋作成ＵＩテーブルのデータ構造例を示す説明図である。
【図１０】付箋作成ＵＩテーブルのデータ構造例を示す説明図である。
【図１１】本実施の形態による処理例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態を実現するコンピュータのハードウェア構成例を示すブロック図である。
【発明を実施するための形態】
【００２２】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２３】
本実施の形態である電子付箋端末１００と電子付箋制御装置１５０は、会合において用いられる付箋に関する処理を行うものであって、図１の例に示すように、電子付箋端末１００と電子付箋制御装置１５０は通信回線１９９によって接続されている。なお、会合は、複数人が集まって話し合うことであればよく、例えば、会議、ワークショップ、アイデア抽出会、検討会、相談、議論、集会、ミーティング等を含む。
電子付箋制御装置１５０は、具体的には、付箋を用いて、ファシリテーター（一般的には１人）と複数人の参加者によって行われる会合で利用される。参加者は参加者用端末としての電子付箋端末１００を用いて、アイデア等が記載された付箋を作成する。一般的に、図３の例に示すように、電子付箋端末１００として、各参加者が所持する電子付箋端末１００Ａ、電子付箋端末１００Ｂ等（以下、代表して電子付箋端末１００という）のように複数ある。そして、電子付箋制御装置１５０は、電子付箋端末１００から付箋を受け取って、台紙（又は背景）上にその付箋を貼り付ける。ファシリテーターは電子付箋制御装置１５０の表示装置である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００２４】
電子付箋端末１００と電子付箋制御装置１５０によって構成される付箋システムにおいて、付箋を作成する電子付箋端末１００（又は電子付箋制御装置１５０）は紙でできることを電子的に行うため、付箋の色、サイズ、ペンの種類等を変更できる機能を持っている。
そこで、画面を共有して付箋を使った作業を行う場合には、作業の場面に応じて、例えば、付箋の色を使い分けることで、付箋の共同作業を、見やすく、理解しやすくすることができる。
これまでの紙による付箋作業で、付箋色の使い分けが積極的に行われていないのは、手持ちの付箋紙枚数に限りがあったり、作業者が使い分けの都度色の違う付箋を持ち換える手間がかかるためであったりするからである。
ところが、そのような手間が電子化によって軽減されているにもかかわらず、電子付箋における付箋色の使い分けがあまり積極的に使われていないのが現状である。
これは、場面に応じた付箋の使い分けを、（同期的・非同期かかわらず）共同作業しているメンバーに周知徹底させることが容易ではないことに一因がある。
本実施の形態は、電子付箋端末１００で付箋を作成するユーザーに対して、作業場面毎に適切な付箋を使い分けることを促し、共同作業の過程を参加者全員に理解させるためと作業効率を向上させるために用いられる。なお、台紙は、作業場面毎に使い分けられることが一般的に行われる。また、１つの台紙が、複数の作業場面で使われることもあり得る。
【００２５】
共同作業しているメンバーに付箋の使い方を周知してもらうために、台紙に凡例を記載することがある。凡例とは、台紙の中で用いられている、付箋の形態（形状、模様、色彩、点滅（点滅における変更対象は、点滅を行うか否か、点滅を行っている期間、点滅の間隔等がある）、又は、これらの組み合わせであってもよい）について、それが何を意味するかを説明した記述である。例えば、黄色の付箋には「特徴」を記載すること、青色の付箋には「利点」を記載すること、紫色の付箋には「課題」を記載することのように、その台紙において、付箋の色について定められた規則である。ここでは例として、色彩を用いたが、形状、模様、点滅等を対象として凡例を作成してもよい。なお、凡例は、共同作業の途中で変更されることもあり得る。つまり、１つの台紙において、当初は、大括りに「特徴」を議論していたが、これを「人的特徴」、「システム特徴」に分けて議論が進むような場合があり、「特徴」を意味した黄色の付箋が、黄色の付箋には「人的特徴」、オレンジ色の付箋には「システム特徴」のように分けることもあり得る。
例えば、システムとしてコンテンツに応じた端末の操作ルールを組み込んでおくようにした場合、それでは付箋を使った作業で必要な、その場の状況に応じて作業しやすいユーザーインターフェイスの実現は困難である。例えば、前述したように、台紙毎に異なり（ときには、作業メンバー毎に異なり）、また、１つの台紙においても付箋のルールが変更されることがあるからである。
【００２６】
電子付箋端末１００は、端末制御モジュール１０５、付箋機能表示モジュール１１０、付箋機能入力モジュール１１５、付箋作成モジュール１２０、付箋属性取得モジュール１２５、ＵＩ構成変更判定モジュール１３０、ＵＩ構成記録モジュール１３５、ＵＩ構成変更モジュール１４０、データ送受信モジュール１４５を有している。
端末制御モジュール１０５は、付箋機能表示モジュール１１０、付箋機能入力モジュール１１５、付箋作成モジュール１２０、付箋属性取得モジュール１２５、ＵＩ構成変更判定モジュール１３０、ＵＩ構成変更モジュール１４０、データ送受信モジュール１４５と接続されている。端末制御モジュール１０５は、電子付箋端末１００全体の処理を制御する。例えば、電子付箋制御装置１５０から凡例の情報を受信し、ユーザーインターフェイスを変更し、ユーザーの操作にしたがって付箋の作成処理を行い、電子付箋制御装置１５０に処理結果（付箋等）を送信する。
【００２７】
付箋機能表示モジュール１１０は、端末制御モジュール１０５と接続されている。付箋機能表示モジュール１１０は、電子付箋端末１００のユーザーインターフェイスを表示する。図１１の例を用いて、後述するように付箋作成画面１１００内のユーザーインターフェイスに関する表示を行う。
付箋機能入力モジュール１１５は、端末制御モジュール１０５と接続されている。付箋機能入力モジュール１１５は、電子付箋端末１００のユーザーインターフェイスの機能を設定する。例えば、ユーザーの操作にしたがって設定してもよい。なお、このユーザーインターフェイスの機能は、ＵＩ構成変更モジュール１４０によって変更され得る。
付箋作成モジュール１２０は、端末制御モジュール１０５と接続されている。付箋作成モジュール１２０は、ユーザーの操作にしたがって付箋の作成処理を行う。
【００２８】
付箋属性取得モジュール１２５は、端末制御モジュール１０５と接続されている。付箋属性取得モジュール１２５は、付箋を貼り付ける先の台紙における凡例の情報を取得する。「付箋を貼り付ける先の台紙」とは、そのユーザーインターフェイスにおいて作成した付箋を貼り付ける台紙である。この台紙は、電子付箋制御装置１５０の共有画面に表示されているのが一般的であるが、必ずしも、その時点（そのユーザーインターフェイスを用いている時点）で、電子付箋制御装置１５０の共有画面に表示されている必要は無く、共有画面に表示されていない他の台紙であってもよい。例えば、電子付箋制御装置１５０が、複数の台紙を管理しており、電子付箋制御装置１５０の共有画面に表示されている台紙を付箋の貼り付ける先とすることはもちろんこと、共有画面に表示されていない台紙に対しても付箋の貼り付ける先とすることができる。
【００２９】
また、付箋属性取得モジュール１２５は、凡例の情報を、台紙上に貼り付けられた付箋から取得するようにしてもよい。つまり、凡例そのものを付箋の１つとして作成する場合に対応するものである。凡例は、台紙毎に設定することが一般的であり、付箋を用いるのが便利だからである。その付箋が凡例が記載された付箋であるか否かについては、後述する付箋情報テーブル５００の凡例フラグ欄５６５で識別するようにしてもよいし、台紙内の予め定められた領域内にある付箋を凡例の付箋と判断してもよいし、また、付箋に記載されたテキスト内に予め定められた文字列（例えば、「凡例」等）がある場合は、凡例の付箋と判断してもよい。また、電子付箋制御装置１５０側（端末ＵＩ変更付箋情報判定モジュール１７５）で凡例の付箋と判断した結果を受け取るようにしてもよい。
また、付箋属性取得モジュール１２５は、凡例の情報として、台紙上に貼り付けられた付箋から、その付箋の形態を示す属性、その付箋内に記載されたテキストを抽出するようにしてもよい。付箋の形態とその形態が示す意味を結びつける必要があるが、付箋の形態については、その付箋の属性から抽出し、その形態が示す意味については、その付箋内に記載されたテキストから抽出するものである。
【００３０】
ＵＩ構成変更判定モジュール１３０は、端末制御モジュール１０５、ＵＩ構成記録モジュール１３５と接続されている。ＵＩ構成変更判定モジュール１３０は、付箋属性取得モジュール１２５が取得した凡例の情報と現在のユーザーインターフェイスの状態を比較して、ユーザーインターフェイスの変更が必要が否かを判定する。変更が必要と判定した場合は、ＵＩ構成変更モジュール１４０にユーザーインターフェイスを変更するように指示する。
ＵＩ構成記録モジュール１３５は、ＵＩ構成変更判定モジュール１３０と接続されている。ＵＩ構成記録モジュール１３５は、現在のユーザーインターフェイスの構成を記憶している。例えば、後述する図９に示す付箋作成ＵＩテーブル９００、図１０に示す付箋作成ＵＩテーブル１０００等を記憶している。
【００３１】
ＵＩ構成変更モジュール１４０は、端末制御モジュール１０５と接続されている。ＵＩ構成変更モジュール１４０は、凡例の情報にしたがって、付箋を作成するためのユーザーインターフェイスを生成する。ここで、生成は、新規にユーザーインターフェイスを作成することの他に、既にあるユーザーインターフェイスを変更することを含む。
また、ＵＩ構成変更モジュール１４０は、凡例の情報にしたがって、付箋の属性指定のための図形を生成する。この図形は、一般的には、アイコンと呼ばれるものであり、図１１の例を用いて後述する付箋属性指定領域１１１０内の付箋属性ボタン１１１２等が該当する。この図形は、台紙における凡例の形態と類似（同一を含む）するようにしてもよい。例えば、凡例が黄色の付箋で「特徴」と記載されている場合は、ＵＩ構成変更モジュール１４０が作成する図形も、「特徴」と記載された黄色の矩形のアイコンとして表示する。この図形を選択することによって、その属性と同じ属性を有している付箋を作成する。例えば、「特徴」を記載した付箋を作成したい場合は、黄色のアイコンが選択され、黄色の付箋が作成されることになる。
また、ＵＩ構成変更モジュール１４０は、凡例の配置状態にしたがって、図形を配置するようにしてもよい。台紙上における凡例の位置と同等の位置関係になるように、電子付箋端末１００における図形の位置を決定するものである。例えば、台紙における凡例と同じ並びで、ユーザーインターフェイス上の図形が並んでいることになる。ここでの「凡例の配置状態」とは、凡例同士の位置関係（例えば、黄色の右横には青色等）の他に、台紙上における凡例の位置（台紙の左上等）を含めるようにしてもよい。なお、ここでの配置は、凡例間の相対的な位置関係が、ユーザーインターフェイス上での図形の位置関係として再現できている程度でよい。
【００３２】
データ送受信モジュール１４５は、端末制御モジュール１０５と接続されており、また、通信回線１９９を介して、電子付箋制御装置１５０のデータ送受信モジュール１８５と接続されている。データ送受信モジュール１４５は、電子付箋制御装置１５０との通信を行う。例えば、付箋に関する情報（付箋情報テーブル５００等）、台紙に関する情報（台紙情報テーブル６００、台紙情報テーブル７００、台紙情報テーブル８００等）等を電子付箋制御装置１５０から受信し、付箋に関する情報（付箋情報テーブル５００等）を電子付箋制御装置１５０に送信する。
【００３３】
電子付箋制御装置１５０は、共有画面制御モジュール１５５、共有画面表示モジュール１６０、付箋操作処理モジュール１６５、付箋属性記録モジュール１７０、端末ＵＩ変更付箋情報判定モジュール１７５、端末ＵＩ変更属性設定モジュール１８０、データ送受信モジュール１８５を有している。
共有画面制御モジュール１５５は、共有画面表示モジュール１６０、付箋操作処理モジュール１６５、付箋属性記録モジュール１７０、端末ＵＩ変更付箋情報判定モジュール１７５、データ送受信モジュール１８５と接続されている。共有画面制御モジュール１５５は、電子付箋制御装置１５０全体の処理を制御する。例えば、電子付箋端末１００に対して付箋に関する情報（凡例の情報を含んでいてもよい）を送信し、電子付箋端末１００から付箋の情報を受信し、台紙上に貼り付ける。
【００３４】
共有画面表示モジュール１６０は、共有画面制御モジュール１５５と接続されている。共有画面表示モジュール１６０は、電子付箋制御装置１５０に接続されている液晶ディスプレイ（特に大型液晶ディスプレイ）等の表示装置への表示を制御する。ファシリテーター等の操作を反映したり、電子付箋端末１００から送信されてきた付箋を表示したりする。
付箋操作処理モジュール１６５は、共有画面制御モジュール１５５と接続されている。付箋操作処理モジュール１６５は、ファシリテーター等による付箋の操作を受け付け、その操作にしたがった処理を行う。ここで操作として、例えば、凡例となる付箋の作成、付箋の移動、拡大・縮小、付箋の属性（例えば、色等）の変更、グループ化等がある。
【００３５】
付箋属性記録モジュール１７０は、共有画面制御モジュール１５５と接続されている。付箋属性記録モジュール１７０は、付箋に関する情報（凡例に関する情報を含めてもよい）、台紙に関する情報等を記憶している。例えば、後述する図５に示す付箋情報テーブル５００、図６に示す台紙情報テーブル６００、図７に示す台紙情報テーブル７００、図８に示す台紙情報テーブル８００等を記憶している。
端末ＵＩ変更付箋情報判定モジュール１７５は、共有画面制御モジュール１５５、端末ＵＩ変更属性設定モジュール１８０と接続されている。端末ＵＩ変更付箋情報判定モジュール１７５は、電子付箋端末１００側のユーザーインターフェイスの構成の変更に該当する付箋か否かを判定する。つまり、共有画面上に表示されている付箋の中で、電子付箋端末１００側のユーザーインターフェイスに影響を与える付箋を判定する。例えば、付箋の属性の１つとして凡例フラグがあるか否か、凡例用のレイアウト枠に入っている付箋であるか否か、また、付箋に記載されたテキスト内に予め定められた文字列（例えば、「凡例」等）があるか否か等がある。なお、端末ＵＩ変更付箋情報判定モジュール１７５による処理は、電子付箋端末１００側の付箋属性取得モジュール１２５で行うようにしてもよい。
端末ＵＩ変更属性設定モジュール１８０は、端末ＵＩ変更付箋情報判定モジュール１７５と接続されている。端末ＵＩ変更属性設定モジュール１８０は、電子付箋端末１００側のユーザーインターフェイスの構成の変更に該当する属性（凡例に関する情報）を記憶している。
【００３６】
データ送受信モジュール１８５は、共有画面制御モジュール１５５と接続されており、また、通信回線１９９を介して、電子付箋端末１００のデータ送受信モジュール１４５と接続されている。データ送受信モジュール１８５は、電子付箋端末１００との通信を行う。例えば、付箋に関する情報（付箋情報テーブル５００）等、台紙に関する情報（台紙情報テーブル６００、台紙情報テーブル７００、台紙情報テーブル８００等）等を電子付箋端末１００に送信し、付箋に関する情報（付箋情報テーブル５００等）を電子付箋端末１００から受信する。
【００３７】
図２は、本実施の形態を利用した付箋システムの構成例を示す説明図である。電子付箋制御装置１５０は、一般的に大画面の表示装置を備えており、ファシリテーターによって操作される。この表示装置は、参加者全員が見ることができるものである。各電子付箋端末１００は、会合における参加者によって操作され、一般的には、各参加者が１台ずつ所持している。例えば、電子付箋端末１００として、タブレット型端末等が使用される。
図２（ａ）の例では、電子付箋制御装置１５０、電子付箋端末１００Ａ、電子付箋端末１００Ｂ、電子付箋端末１００Ｃは、通信回線１９９を介してそれぞれ接続されている。通信回線１９９は、無線、有線、これらの組み合わせであってもよく、例えば、通信インフラとしてのインターネット、イントラネット等であってもよい。この場合、電子付箋制御装置１５０は、画面に表示される台紙、付箋に対する処理を行う。そして、付箋に関する情報、台紙に関する情報、凡例の情報を、各電子付箋端末１００に送信する。電子付箋端末１００は、受信した凡例の情報にしたがってユーザーインターフェイスを生成して、そのユーザーインターフェイス上で作成された付箋（凡例に沿った付箋）を電子付箋制御装置１５０に送信する。
【００３８】
図２（ｂ）の例では、会議室２８０Ａには、電子付箋制御装置１５０Ａ、電子付箋端末１００Ａ、電子付箋端末１００Ｂ、電子付箋端末１００Ｃが設置されており、会合が行われる。電子付箋制御装置１５０Ａ、電子付箋端末１００Ａ、電子付箋端末１００Ｂ、電子付箋端末１００Ｃは、通信回線２９９を介してそれぞれ接続されている。
また、会議室２８０Ｂには、電子付箋制御装置１５０Ｂ、電子付箋端末１００Ｄ、電子付箋端末１００Ｅが設置されており、会合が行われる。電子付箋制御装置１５０Ｂ、電子付箋端末１００Ｄ、電子付箋端末１００Ｅは、通信回線２９９を介してそれぞれ接続されている。
そして、付箋情報記憶装置２９４、会議室２８０Ａ内の機器、会議室２８０Ｂ内の機器は、通信回線１９９を介してそれぞれ接続されている。また、付箋情報記憶装置２９４による機能は、クラウドサービスとして実現してもよい。
付箋情報記憶装置２９４は、付箋に関する情報を記憶している。各電子付箋制御装置１５０は、付箋情報記憶装置２９４を用いて処理を行う。この場合、付箋情報記憶装置２９４内の付箋に関する情報を複数の電子付箋制御装置１５０で共有してもよい。つまり、電子付箋制御装置１５０Ａが管理している付箋に関する情報を、電子付箋制御装置１５０Ｂが利用できるようにしてもよい。
【００３９】
図３は、本実施の形態が使用される会議室等の例、電子付箋端末１００、電子付箋制御装置１５０の使用例を示す説明図である。
図３（ａ）の例に示すように、会議室等内に、参加者３１１、３１２、ファシリテーター３２１が集まっている。参加者３１１は電子付箋端末１００Ａを利用し、参加者３１２は電子付箋端末１００Ｂを利用する。一般的に、端末装置（電子付箋端末１００Ａ等）は参加者１人に１個付与されており、図３（ｃ）の例に示す電子付箋端末１００のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す電子付箋制御装置１５０ｘは、プロジェクターであって、台紙及び付箋を表示する。また、電子付箋制御装置１５０ｙは、電子白板であって、ファシリテーター３２１の指又はペン等の動きを検知して、付箋を台紙（表）に貼り付けること、付箋の移動、付箋の関連付け（グループ化）を行うこと等の操作を受け付けるものである。例えば、電子付箋制御装置１５０ｙにペンが備えられており、そのペンが予め定められたペン置きから離れたこと（ファシリテーター３２１が操作するためにペンを持ち上げたこと）、そしてペンの先端の位置（ペン先端が電子付箋制御装置１５０ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、電子付箋制御装置１５０ｙの表示画面全体がタッチセンサーであり、表示画面に触れられた位置、圧力を検知すればよい。本例では、ペンのオンオフはペン置きによって制御するが、必ずしもペン置きがある必要はない。ペン側で直接オンオフを制御できるようにしても構わない。色の変更に関してもペン置きを必要とせずに、表示画面上の一部分にカラーパレットを用意しておき、目的の色をペン（またはそれに類するもの）がタッチすることで色を変更したり、ペンに色を変える指示をするための機能（ボタンやスライダ等）が備わっていたりしても構わない。
また、電子付箋制御装置１５０は、図３（ｂ）の例に示すような電子ボードであってもよい。電子ボードは、一般的に大画面の表示装置（少なくとも、電子付箋端末１００の表示装置よりも大きい）を有しており、その表示装置はタッチパネルであり、表示画面に触れられた位置、圧力を検知する。例えば、画面として、８０インチ等の大きさを備えたものであってもよい。
【００４０】
図４は、本実施の形態による処理例を示すフローチャートである。
ステップＳ４０２では、電子付箋制御装置１５０は、共有画面で付箋の表示を更新する。例えば、付箋に関する情報は付箋情報テーブル５００を用いて、台紙に関する情報は台紙情報テーブル６００を用いる。
図５は、付箋情報テーブル５００のデータ構造例を示す説明図である。付箋情報テーブル５００は、付箋ＩＤ欄５１０、貼付位置欄５１５、サイズ欄５２０、作成日時欄５２５、作成者欄５３０、貼付日時欄５３５、色欄５４０、枠線形状欄５４５、枠線色欄５５０、枠線太さ欄５５５、所属グループ欄５６０、凡例フラグ欄５６５、内容種別欄５７０、内容欄５７５を有している。付箋ＩＤ欄５１０は、付箋を、本実施の形態において一意に識別するための情報（付箋ＩＤ：ＩＤｅｎｔｉｆｉｃａｔｉｏｎ）を記憶している。貼付位置欄５１５は、その付箋が貼り付けられる位置を記憶している。つまり、台紙上の貼り付け位置を記憶している。例えば、台紙のＸＹ座標系における座標である。サイズ欄５２０は、その付箋のサイズを記憶している。例えば、表示する付箋が矩形である場合は、幅と高さを記憶している。作成日時欄５２５は、その付箋が作成された日時（年、月、日、時、分、秒、秒以下、又はこれらの組み合わせであってもよい）を記憶している。作成者欄５３０は、その付箋の作成者（作成者ＩＤ）を記憶している。又は、その付箋が作成された情報処理装置（電子付箋端末１００又は電子付箋制御装置１５０の機器ＩＤ）を記憶してもよい。貼付日時欄５３５は、その付箋が台紙に貼り付けられた日時を記憶している。色欄５４０は、その付箋の表示色を記憶している。枠線形状欄５４５は、その付箋の表示における枠線の形状（実線、点線、破線、波線、二重線等）を記憶している。枠線色欄５５０は、その付箋の表示における枠線の色を記憶している。枠線太さ欄５５５は、その付箋の表示における枠線の太さを記憶している。所属グループ欄５６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。凡例フラグ欄５６５は、ＯＮ（その付箋は凡例として使用されている付箋であることを示すフラグ状態）又はＯＦＦ（その付箋は凡例付箋ではないことを示すフラグ状態、一般的な付箋であることを示すフラグ状態）を記憶している。内容種別欄５７０は、その付箋の内容種別（テキスト情報、手書き文字又は図形等を示すベクトルデータ、音声情報、写真等の静止画像情報、動画情報等、又はこれらの組み合わせを示す情報）を記憶している。内容欄５７５は、その付箋に書き込まれている内容を記憶している。凡例フラグ欄５６５がＯＮである場合は、色欄５４０、枠線形状欄５４５、枠線色欄５５０、枠線太さ欄５５５、内容欄５７５等のいずれか１つ又はこれらの組み合わせが「凡例の情報」となる。つまり、色欄５４０、枠線形状欄５４５、枠線色欄５５０、枠線太さ欄５５５のいずれか１つ又はこれらの組み合わせ等が「付箋の形態を示す属性」の例であって、内容欄５７５が「付箋内に記載されたテキスト」（凡例の意味を示す文字列）の例となる。
【００４１】
図６は、台紙情報テーブル６００のデータ構造例を示す説明図である。台紙情報テーブル６００は、台紙ＩＤ欄６１０、台紙パターン欄６１５、作成日時欄６２０、作成者欄６２５を有している。台紙ＩＤ欄６１０は、本実施の形態において、台紙を一意に識別するための情報（台紙ＩＤ）を記憶している。台紙パターン欄６１５は、背景となる台紙パターンを記憶している。例えば、白紙、表形式のパターン等がある。作成日時欄６２０は、その台紙の作成日時を記憶している。作成者欄６２５は、その台紙の作成者を記憶している。
【００４２】
また、台紙情報テーブル６００の代わりに台紙情報テーブル７００を用いてもよい。図７は、台紙情報テーブル７００のデータ構造例を示す説明図である。台紙情報テーブル７００は、台紙情報テーブル６００に凡例領域欄７３０を付加したものである。台紙情報テーブル７００は、台紙ＩＤ欄７１０、台紙パターン欄７１５、作成日時欄７２０、作成者欄７２５、凡例領域欄７３０を有しており、凡例領域欄７３０は、Ｘ欄７３５、Ｙ欄７４０、Ｗ欄７４５、Ｈ欄７５０を有している。台紙ＩＤ欄７１０は、台紙ＩＤを記憶している。台紙パターン欄７１５は、背景となる台紙パターンを記憶している。作成日時欄７２０は、その台紙の作成日時を記憶している。作成者欄７２５は、その台紙の作成者を記憶している。凡例領域欄７３０は、凡例領域を記憶している。凡例領域とは、凡例の付箋が貼り付けられる領域である。凡例領域を矩形とした場合は、例えば、Ｘ欄７３５、Ｙ欄７４０、Ｗ欄７４５、Ｈ欄７５０によって定義される。Ｘ欄７３５は、矩形の左上角のＸ座標を記憶している。Ｙ欄７４０は、矩形の左上角のＹ座標を記憶している。Ｗ欄７４５は、矩形の幅を記憶している。Ｈ欄７５０は、矩形の高さを記憶している。
【００４３】
また、台紙情報テーブル６００、台紙情報テーブル７００の代わりに台紙情報テーブル８００を用いてもよい。図８は、台紙情報テーブル８００のデータ構造例を示す説明図である。台紙情報テーブル８００は、台紙情報テーブル７００に凡例数欄８３０を付加し、凡例数欄８３０内の数だけ凡例領域欄８３５を連続して付加したものである。つまり、台紙内に複数の凡例領域がある場合に対応したものである。台紙情報テーブル８００は、台紙ＩＤ欄８１０、台紙パターン欄８１５、作成日時欄８２０、作成者欄８２５、凡例数欄８３０、凡例領域欄８３５を有しており、凡例領域欄８３５は、Ｘ欄８４０、Ｙ欄８４５、Ｗ欄８５０、Ｈ欄８５５を有している。台紙ＩＤ欄８１０は、台紙ＩＤを記憶している。台紙パターン欄８１５は、背景となる台紙パターンを記憶している。作成日時欄８２０は、その台紙の作成日時を記憶している。作成者欄８２５は、その台紙の作成者を記憶している。凡例数欄８３０は、凡例の数を記憶している。この後、凡例数欄８３０内の数だけ、凡例領域欄８３５が連続して続く。凡例領域を矩形とした場合は、例えば、Ｘ欄８４０、Ｙ欄８４５、Ｗ欄８５０、Ｈ欄８５５によって定義される。Ｘ欄８４０は、矩形の左上角のＸ座標を記憶している。Ｙ欄８４５は、矩形の左上角のＹ座標を記憶している。Ｗ欄８５０は、矩形の幅を記憶している。Ｈ欄８５５は、矩形の高さを記憶している。
【００４４】
ステップＳ４０４では、電子付箋制御装置１５０は、共有画面に電子付箋端末１００のユーザーインターフェイスを制御する付箋（凡例が記載された付箋）があるか否かを判断し、ある場合はステップＳ４０６へ進み、それ以外の場合はステップＳ４０２へ戻る。ここでの判断は、付箋情報テーブル５００内の凡例フラグ欄５６５の値で判断してもよい。また、凡例フラグ欄５６５の無い付箋情報テーブル５００であっても、台紙情報テーブル７００、台紙情報テーブル８００を用いている場合は、台紙情報テーブル７００の凡例領域欄７３０、台紙情報テーブル８００の凡例領域欄８３５等を用いればよい。つまり、凡例領域内に貼り付けられている付箋を凡例付箋として抽出すればよい。また、付箋情報テーブル５００の内容欄５７５内に予め定められた文字列（例えば、「凡例」等）が含まれているか否かによって判断してもよい。
【００４５】
ステップＳ４０６では、電子付箋制御装置１５０は、電子付箋端末１００側に該当付箋情報（凡例の情報）を送信する。
ステップＳ４０８では、電子付箋端末１００は、付箋情報（凡例の情報）に基づいて、電子付箋端末１００のユーザーインターフェイスの構成を決定する。例えば、付箋作成ＵＩテーブル９００を生成する。図９は、付箋作成ＵＩテーブル９００のデータ構造例を示す説明図である。付箋作成ＵＩテーブル９００は、付箋属性ボタン数欄９１０、付箋属性ボタン形態欄９１５、位置欄９２０、サイズ欄９２５、テキスト欄９３０を有している。付箋属性ボタン数欄９１０は、電子付箋端末１００の画面に表示する付箋属性ボタンの数を記憶している。付箋属性ボタンは、付箋の属性を指定するためのユーザーインターフェイス（ユーザーインターフェイス部品）である。付箋属性ボタン形態欄９１５は、その付箋属性ボタンが選択されたことによって作成される付箋の形態を記憶している。つまり、凡例の付箋の形態に対応しており、例えば、付箋の形状、色等がある。また、一般的には、付箋属性ボタンの形態としてもよい。具体的には、黄色の付箋属性ボタンが選択された場合、黄色の付箋が作成されることになる。位置欄９２０は、その付箋属性ボタンを表示する位置を記憶している。サイズ欄９２５は、その付箋属性ボタンのサイズ（例えば、高さ、幅等）を記憶している。テキスト欄９３０は、その付箋属性ボタンに対応するテキスト（その属性の付箋が持つ意味）を記憶している。
【００４６】
また、付箋作成ＵＩテーブル９００の代わりに付箋作成ＵＩテーブル１０００を用いてもよい。図１０は、付箋作成ＵＩテーブル１０００のデータ構造例を示す説明図である。付箋作成ＵＩテーブル１０００は、付箋作成ＵＩテーブル９００に台紙ＩＤ欄１０１０を付加したものである。台紙毎の凡例に対応させたものである。付箋作成ＵＩテーブル１０００は、台紙ＩＤ欄１０１０、付箋属性ボタン数欄１０１５、付箋属性ボタン形態欄１０２０、位置欄１０２５、サイズ欄１０３０、テキスト欄１０３５を有している。台紙ＩＤ欄１０１０は、台紙ＩＤを記憶している。付箋属性ボタン数欄１０１５は、電子付箋端末１００の画面に表示する付箋属性ボタンの数を記憶している。付箋属性ボタン形態欄１０２０は、その付箋属性ボタンが選択されたことによって作成される付箋の形態を記憶している。位置欄１０２５は、その付箋属性ボタンを表示する位置を記憶している。サイズ欄１０３０は、その付箋属性ボタンのサイズ（例えば、高さ、幅等）を記憶している。テキスト欄１０３５は、その付箋属性ボタンに対応するテキスト（その属性の付箋が持つ意味）を記憶している。
【００４７】
ステップＳ４１０では、電子付箋端末１００は、操作画面の構成を変更し、ステップＳ４０２へ戻る。
【００４８】
以下に、電子付箋端末１００の表示装置における画面例（付箋作成画面１１００）、電子付箋制御装置１５０の表示装置における画面例（共有画面（台紙）１２００）を用いて説明する。
図１１は、本実施の形態（電子付箋端末１００）による処理例を示す説明図である。図１１の例は、電子付箋端末１００の初期状態（電子付箋制御装置１５０から凡例の情報を受信していない場合）を示すものである。
電子付箋端末１００の付箋作成画面１１００には、付箋属性指定領域１１１０、付箋内容入力領域１１５０を表示する。付箋属性指定領域１１１０は、付箋の色選択エリアとなっている。付箋内容入力領域１１５０は、付箋の内容入力のためのエリアとなっている。
付箋属性指定領域１１１０には、ここでは、付箋属性ボタン１１１２（黄色）、付箋属性ボタン１１１４（青色）、付箋属性ボタン１１１６（ピンク色）、付箋属性ボタン１１１８（紫色）、付箋属性ボタン１１２０（その他）を表示する。例えば、それぞれの付箋属性ボタンが選択されると、黄色、青色、ピンク色、紫色、その他の色の付箋を作成する。付箋内容入力領域１１５０は、デフォルトで付箋属性ボタン１１１２（黄色）が選択されている状態である。
【００４９】
図１２は、本実施の形態による処理例を示す説明図である。
図１２（ａ）の例は、電子付箋制御装置１５０によって表示されている共有画面（台紙）１２００である。
共有画面（台紙）１２００には、ファシリテーターの操作によって、凡例付箋１２１２、凡例付箋１２１４、凡例付箋１２１６を表示する。なお、これらの凡例付箋は、ファシリテーターが作成したものであってもよいし、電子付箋端末１００のユーザーが作成したものであってもよい。また、台紙のテンプレートとして予め凡例の付箋が貼り付けられていてもよい。凡例付箋１２１２、凡例付箋１２１４、凡例付箋１２１６は、それぞれ黄色、青色、紫色であり、その付箋内に「特徴」、「利点」、「課題」と記載されている。つまり、凡例として、「特徴」は黄色の付箋に記載すること、「利点」は青色の付箋に記載すること、「課題」は紫色の付箋に記載することを示している。
【００５０】
図１２（ｂ）の例は、図１２（ａ）の例に示す共有画面（台紙）１２００の凡例の情報が、電子付箋端末１００に送信された後の、付箋作成画面１１００の状態である。
付箋属性指定領域１１１０には、付箋属性ボタン１１１２、付箋属性ボタン１１１４、付箋属性ボタン１１１８、付箋属性ボタン１１２０を表示する。つまり、共有画面（台紙）１２００の凡例の情報にしたがって、付箋属性指定領域１１１０内を変更する。具体的には、付箋属性ボタン１１１２は凡例付箋１２１２に、付箋属性ボタン１１１４は凡例付箋１２１４に、付箋属性ボタン１１１８は凡例付箋１２１６に、対応して生成されたものである。また、図１１の例で表示していた付箋属性ボタン１１１６（ピンク色）は、付箋属性ボタン１１２０を選択することによって、選択可能としている。
付箋内容入力領域１１５０には、凡例テキスト表示領域１１５２を表示する。図１２（ｂ）の例は、付箋属性ボタン１１１２が選択された状態であることを示しており、付箋内容入力領域１１５０内は黄色であり、凡例テキスト表示領域１１５２には「特徴」と表示している。この「特徴」の文字は、付箋情報テーブル５００の内容欄５７５から抽出したものである。このようなユーザーインターフェイスによって、電子付箋端末１００のユーザーは、黄色の付箋に「特徴」を記載しようと意識することになる。なお、凡例テキスト表示領域１１５２内の文字は、例えば、透過色で表示し、付箋内容入力領域１１５０内の記載の妨げにならないようにしてもよい。
つまり、凡例はテキストと色の組み合わせであるケースが多い、一方、電子付箋端末１００側の付箋属性の選択機能は色のみであり、画面の大きさの制約から、付箋属性ボタンの中にテキストを埋め込んでも読みにくく、あまり好ましくない。このため、凡例内のテキストは、凡例テキスト表示領域１１５２に表示している。その際、半透明化して表示するなど、ユーザーの付箋作成作業を邪魔しないように構成するとよい。
【００５１】
図１３は、本実施の形態による処理例を示す説明図である。
図１３（ａ）の例は、図１２（ａ）の状態から、凡例付箋１２１８を凡例に付加しようとしている状態である。
共有画面（台紙）１２００には、凡例付箋１２１２、凡例付箋１２１４、凡例付箋１２１６、凡例付箋１２１８を表示する。凡例付箋１２１８は、新規に、ファシリテーター又はユーザーが作成したものであり、緑色の付箋であって「対策」と記載されている。
図１３（ｂ）の例は、共有画面（台紙）１２００には、ファシリテーターの操作（指示指１２９０）によって、凡例表示領域１２３０を表示する。そして、凡例表示領域１２３０内に、凡例付箋１２１８を追加し、左から凡例付箋１２１８、凡例付箋１２１２、凡例付箋１２１４、凡例付箋１２１６の順に並び替える。
【００５２】
図１３（ｃ）の例は、図１３（ｂ）の例に示す共有画面（台紙）１２００の凡例の情報が、電子付箋端末１００に送信された後の、付箋作成画面１１００の状態である。
付箋属性指定領域１１１０には、付箋属性ボタン１１２２、付箋属性ボタン１１１２、付箋属性ボタン１１１４、付箋属性ボタン１１１８、付箋属性ボタン１１２０を表示する。つまり、共有画面（台紙）１２００の凡例の情報にしたがって、付箋属性指定領域１１１０内を変更する。具体的には、付箋属性ボタン１１２２は凡例付箋１２１８に、付箋属性ボタン１１１２は凡例付箋１２１２に、付箋属性ボタン１１１４は凡例付箋１２１４に、付箋属性ボタン１１１８は凡例付箋１２１６に、対応して生成されたものである。ここで、共有画面（台紙）１２００における凡例表示領域１２３０内の凡例付箋の並び（位置状態）にしたがって、付箋属性指定領域１１１０内の付箋属性ボタンを並べる。つまり、共有画面（台紙）１２００の凡例付箋の並びが、付箋作成画面１１００の付箋属性ボタンの並びに反映されている。
【００５３】
図１４は、本実施の形態による処理例を示す説明図である。凡例表示領域が複数ある場合の例を示している。
図１４（ａ）の例は、凡例表示領域（凡例表示領域１２６０、凡例表示領域１２６２）が複数作成されている状態である。
凡例表示領域１２６０には、凡例付箋１２１２、凡例付箋１２１４、凡例付箋１２１６を表示し、凡例表示領域１２６２には、凡例付箋１２４２、凡例付箋１２４４、凡例付箋１２４６を表示している。つまり、凡例として、「特徴」は黄色の付箋に記載すること、「利点」は青色の付箋に記載すること、「課題」は紫色の付箋に記載すること、「対策（人）」は緑色の付箋に記載すること、「対策（物）」は薄緑色の付箋に記載すること、「対策（方法）」は深緑色の付箋に記載することを示している。
【００５４】
図１４（ｂ）の例は、図１４（ａ）の例に示す共有画面（台紙）１２００の凡例の情報が、電子付箋端末１００に送信された後の、付箋作成画面１１００の状態である。
付箋属性指定領域１１１０には、付箋属性ボタン１１１２、付箋属性ボタン１１１４、付箋属性ボタン１１１８を表示する。つまり、共有画面（台紙）１２００の凡例の情報にしたがって、付箋属性指定領域１１１０内を変更する。具体的には、付箋属性ボタン１１１２は凡例付箋１２１２に、付箋属性ボタン１１１４は凡例付箋１２１４に、付箋属性ボタン１１１８は凡例付箋１２１６に、対応して生成されたものである。
付箋属性指定領域１１６０には、付箋属性ボタン１１６２、付箋属性ボタン１１６４、付箋属性ボタン１１６６、付箋属性ボタン１１２０を表示する。つまり、共有画面（台紙）１２００の凡例の情報にしたがって、付箋属性指定領域１１６０内を変更する。具体的には、付箋属性ボタン１１６２は凡例付箋１２４２に、付箋属性ボタン１１６４は凡例付箋１２４４に、付箋属性ボタン１１６６は凡例付箋１２４６に、対応して生成されたものである。
ここで、共有画面（台紙）１２００における凡例表示領域１２６０と凡例表示領域１２６２の配置（位置状態）にしたがって、付箋属性指定領域１１１０、付箋属性指定領域１１６０を配置する。そして、共有画面（台紙）１２００における凡例表示領域１２６０内の凡例付箋の並び（位置状態）にしたがって、付箋属性指定領域１１１０内の付箋属性ボタンを並べ、凡例表示領域１２６２内の凡例付箋の並び（位置状態）にしたがって、付箋属性指定領域１１６０内の付箋属性ボタンを並べる。つまり、共有画面（台紙）１２００の凡例付箋の配置が、付箋作成画面１１００の付箋属性ボタンの配置に反映されている。
【００５５】
なお、本実施の形態としてのプログラムが実行されるコンピュータ（電子付箋端末１００、電子付箋制御装置１５０）のハードウェア構成は、図１５に例示するように、一般的なコンピュータであり、具体的にはパーソナルコンピュータ、サーバーとなり得るコンピュータ等である。つまり、具体例として、処理部（演算部）としてＣＰＵ１５０１を用い、記憶装置としてＲＡＭ１５０２、ＲＯＭ１５０３、ＨＤ１５０４を用いている。ＨＤ１５０４として、例えばハードディスク、ＳＳＤ（Ｓｏｌｉｄ  Ｓｔａｔｅ  Ｄｒｉｖｅ）を用いてもよい。端末制御モジュール１０５、付箋機能表示モジュール１１０、付箋機能入力モジュール１１５、付箋作成モジュール１２０、付箋属性取得モジュール１２５、ＵＩ構成変更判定モジュール１３０、ＵＩ構成変更モジュール１４０、データ送受信モジュール１４５、共有画面制御モジュール１５５、共有画面表示モジュール１６０、付箋操作処理モジュール１６５、端末ＵＩ変更付箋情報判定モジュール１７５、端末ＵＩ変更属性設定モジュール１８０、データ送受信モジュール１８５等のプログラムを実行するＣＰＵ１５０１と、そのプログラムやデータを記憶するＲＡＭ１５０２と、本コンピュータを起動するためのプログラム等が格納されているＲＯＭ１５０３と、ＵＩ構成記録モジュール１３５、付箋属性記録モジュール１７０としての機能を有する補助記憶装置（フラッシュ・メモリ等であってもよい）であるＨＤ１５０４と、キーボード、マウス、タッチスクリーン、マイク等に対する利用者の操作に基づいてデータを受け付ける受付装置１５０６と、ＣＲＴ、液晶ディスプレイ、スピーカー等の出力装置１５０５と、ネットワークインターフェイスカード等の通信ネットワークと接続するための通信回線インターフェイス１５０７、そして、それらをつないでデータのやりとりをするためのバス１５０８により構成されている。これらのコンピュータが複数台互いにネットワークによって接続されていてもよい。
【００５６】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１５に示すハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００５７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００５８】
１００…電子付箋端末
１０５…端末制御モジュール
１１０…付箋機能表示モジュール
１１５…付箋機能入力モジュール
１２０…付箋作成モジュール
１２５…付箋属性取得モジュール
１３０…ＵＩ構成変更判定モジュール
１３５…ＵＩ構成記録モジュール
１４０…ＵＩ構成変更モジュール
１４５…データ送受信モジュール
１５０…電子付箋制御装置
１５５…共有画面制御モジュール
１６０…共有画面表示モジュール
１６５…付箋操作処理モジュール
１７０…付箋属性記録モジュール
１７５…端末ＵＩ変更付箋情報判定モジュール
１８０…端末ＵＩ変更属性設定モジュール
１８５…データ送受信モジュール
１９９…通信回線
２９４…付箋情報記憶装置
【図１】
2018005549.tif 000003
【図２】
2018005549.tif 000004
【図３】
2018005549.tif 000005
【図４】
2018005549.tif 000006
【図５】
2018005549.tif 000007
【図６】
2018005549.tif 000008
【図７】
2018005549.tif 000009
【図８】
2018005549.tif 000010
【図９】
2018005549.tif 000011
【図１０】
2018005549.tif 000012
【図１１】
2018005549.tif 000013
【図１２】
2018005549.tif 000014
【図１３】
2018005549.tif 000015
【図１４】
2018005549.tif 000016
【図１５】
2018005549.tif 000017